(57)【特許請求の範囲】
【請求項１】
ユーザが情報を付加することで複数の選択肢から少なくとも１つの選択肢を選択するためのシートを、読取装置が読み取って得られた読取画像を取得する取得手段と；
上記取得手段により取得された読取画像に基づき、上記シートにおいてユーザにより選択された選択肢を特定する特定手段と；
上記特定手段により特定された、ユーザにより選択された選択肢に基づく処理を実行する処理手段と；
を有し、
上記特定手段は、上記シートが読取装置により読み取られることで上記取得手段により取得された第１の読取画像と、上記読取装置による当該第１の読取画像に対応する読取りの後に当該シートが再び読取装置により読み取られることによって、上記取得手段により取得された第２の読取画像とに基づき、当該第１の読取画像に対応する読取りの後にユーザが当該シートに情報を付加することで新たに選択された選択肢を特定し、
上記処理手段は、上記特定手段により上記第１の読取画像に基づき特定される少なくとも１つの選択肢を用いずに、上記特定手段により特定された、ユーザにより新たに選択された選択肢に基づき処理を実行することを特徴とするデータ処理装置。
【請求項２】
ユーザが情報を付加することで複数の選択肢のいずれかを選択するための画像を、印刷装置にシートへ印刷させる印刷制御手段を有し、
上記取得手段は、上記印刷制御手段により印刷されたシートを読取装置が読み取って得られた読取画像を取得することを特徴とする請求項１に記載のデータ処理装置。
【請求項３】
上記印刷制御手段は、複数の選択項目のそれぞれに対して複数の選択肢を有する画像をシートへ印刷させ、
上記特定手段は、上記第１の読取画像と、上記第２の読取画像とに基づき、当該第１の読取画像に対応する読取りの後に、上記複数の選択項目のうちの少なくとも１つの選択項目に対して、ユーザにより新たに選択された選択肢を特定し、
上記処理手段は、上記少なくとも１つの選択項目に対して上記特定手段により上記第１の読取画像に基づき特定される選択肢を用いずに、上記少なくとも１つの選択項目に対して上記特定手段により特定された、ユーザにより新たに選択された選択肢に基づき処理を実行することを特徴とする請求項２に記載のデータ処理装置。
【請求項４】
上記処理手段は、上記特定手段により、上記第１の読取画像に対応する読取りの後にユーザが上記シートに情報を付加することで新たに選択された選択肢が特定された場合に、上記特定手段により上記第１の読取画像に基づき特定される選択肢に基づかずに、ユーザにより新たに選択された当該選択肢に対応する処理を実行することを特徴とする請求項１乃至３のいずれか１項に記載のデータ処理装置。
【請求項５】
上記特定手段は、上記第１の読取画像と、上記第２の読取画像とに基づき、当該第１の読取画像に対応する読取りの後にユーザにより上記シートに新たに付加された情報を特定することにより、当該特定された情報に対応する選択肢を、ユーザにより新たに選択された選択肢として特定することを特徴とする請求項１乃至４のいずれか１項に記載のデータ処理装置。
【請求項６】
上記取得手段により取得された読取画像に基づき、上記特定手段により特定された選択肢をユーザに通知する通知手段を有し、
上記通知手段は、上記第１の取得手段に基づき上記特定手段により特定された選択肢をユーザに通知し、上記取得手段は、当該通知に基づくユーザによる指示に応じて、上記第２の読取画像を取得することを特徴とする請求項１乃至５のいずれか１項に記載のデータ処理装置。
【請求項７】
上記処理手段は、上記特定手段により特定された選択肢に対応する印刷設定に従って、印刷装置に画像を印刷させることを特徴とする請求項１乃至６のいずれか１項に記載のデータ処理装置。
【請求項８】
上記処理手段は、複数の画像のうちの、上記特定手段により特定された選択肢に対応する画像を、印刷装置に印刷させることを特徴とする請求項１乃至７のいずれか１項に記載のデータ処理装置。
【請求項９】
ユーザが情報を付加することで複数の選択肢から少なくとも１つの選択肢を選択するためのシートを、読取装置が読み取って得られた読取画像を取得する取得工程と；
上記取得工程により取得された読取画像に基づき、上記シートにおいてユーザにより選択された選択肢を特定する特定工程と；
上記特定工程により特定された、ユーザにより選択された選択肢に基づく処理を実行する処理工程と；
を有し、
上記特定工程は、上記シートが読取装置により読み取られることで上記取得工程により取得された第１の読取画像と、上記読取装置による当該第１の読取画像に対応する読取りの後に当該シートが再び読取装置により読み取られることによって、上記取得工程により取得された第２の読取画像とに基づき、当該第１の読取画像に対応する読取りの後にユーザが当該シートに情報を付加することで新たに選択された選択肢を特定し、
上記処理工程は、上記特定工程により上記第１の読取画像に基づき特定される少なくとも１つの選択肢を用いずに、上記特定工程により特定された、ユーザにより新たに選択された選択肢に基づく処理を実行することを特徴とするデータ処理方法。
【発明の詳細な説明】
【技術分野】
【０００１】
本発明は、マークシートに記入されている内容を読み取り、データ処理するデータ処理装置において、マークシートの記入内容を修正する方法に関する。
【背景技術】
【０００２】
従来のデータ処理装置において、選択項目毎の複数の記入欄が印刷されているマークシートに、ユーザが所望の選択に対応する記入欄を、鉛筆やペン等で塗りつぶし、この塗り潰したマークシートを光学的に読み取る。そして、この読み取った内容に応じて、ユーザが選択した内容を認識するデータ処理装置が知られている。
【０００３】
このようなデータ処理装置において、マークシートの記入内容を、データ処理装置が読み出した後に、マークシートへの記入ミスに、ユーザが気付いた場合、記入ミスしたマークを消し、そのマークシートに正しいマークを記入し直す必要がある。または、マークシートを再印刷し、最初から記入し直す等の処理が必要である。
【０００４】
しかし、一度記入したマークを、消しゴムや修正液で消す作業は煩雑であるという問題があり、また、マークシートを再印刷させると、ユーザに無駄な作業を強いるという問題がある。さらに、修正し、又は、印刷すると、それに必要な時間が無駄であり、消しゴムや修正液、再印刷のためのインクや用紙等の資源が無駄になるという問題がある。
【０００５】
このような問題を解決する方法として、マーク記入欄に記入したマークを無効にすることを、修正欄に記載する発明が知られている（たとえば、特許文献１、特許文献２参照）。
【特許文献１】特開平２−８９７８号公報
【特許文献２】特開平２−１２０９９６号公報
【発明の開示】
【発明が解決しようとする課題】
【０００６】
しかし、上記従来例では、マークシート上の選択項目の数だけ修正欄を必要とし、限られたシートの上に余分な記入欄を追加しなければならないという問題がある。
【０００７】
また、上記従来例では、マークシートの記入内容を、データ処理装置が読み出した後に、マークシートへの記入ミスをユーザが気付いた場合に備えて、記入内容の修正欄を設けるので、マークシートのサイズが大きくなるという問題がある。
【０００８】
また、上記従来例では、マークシートへの記入ミスをユーザが気付いた場合に備えて、記入内容の修正欄を設けるので、１枚のマークシートで足らなければ、複数枚のマークシートを印刷する必要があるという問題がある。
【０００９】
また、上記従来例では、記入内容の修正欄を設けるので、読み取るマーク数が多く、マークの読み取り時間が長いという問題がある。
【００１０】
本発明は、ユーザがシートを用いて複数の選択肢から少なくとも１つの選択肢を選択するときに、ユーザが誤って選択してしまった選択肢を簡単に修正することができるデータ処理装置およびデータ処理方法を提供することを目的とする。
【課題を解決するための手段】
【００１１】
本発明のデータ処理装置は、ユーザが情報を付加することで複数の選択肢から少なくとも１つの選択肢を選択するためのシートを、読取装置が読み取って得られた読取画像を取得する取得手段と、上記取得手段により取得された読取画像に基づき、上記シートにおいてユーザにより選択された選択肢を特定する特定手段と、上記特定手段により特定された、ユーザにより選択された選択肢に基づく処理を実行する処理手段とを有し、上記特定手段は、上記シートが読取装置により読み取られることで上記取得手段により取得された第１の読取画像と、上記読取装置による当該第１の読取画像に対応する読取りの後に当該シートが再び読取装置により読み取られることによって、上記取得手段により取得された第２の読取画像とに基づき、当該第１の読取画像に対応する読取りの後にユーザが当該シートに情報を付加することで新たに選択された選択肢を特定し、上記処理手段は、上記特定手段により上記第１の読取画像に基づき特定される少なくとも１つの選択肢を用いずに、上記特定手段により特定された、ユーザにより新たに選択された選択肢に基づき処理を実行することを特徴とする。
【発明の効果】
【００１２】
本発明によれば、ユーザがシートを用いて複数の選択肢から少なくとも１つの選択肢を選択するときに、ユーザが誤って選択してしまった選択肢を簡単に修正することができる。
【発明を実施するための最良の形態】
【００１４】
発明を実施するための最良の形態は、次の実施例である。
【実施例１】
【００１５】
図１は、本発明の実施例１である画像処理装置１０の外形を示す図である。
【００１６】
画像処理装置１０は、液晶モニタ１１と、操作パネル１２と、原稿台カバー１３と、給紙トレイ１５と、排紙トレイ１６と、メモリカードコネクタ１７と、原稿台１８とを有する。
【００１７】
液晶モニタ１１は、装置の状態や、メモリカード１９から読み出した画像を表示する。
【００１８】
操作パネル１２は、押しボタン（不図示）を有し、ユーザが装置制御を行うための操作パネルである。原稿台カバー１３は、原稿台１８を保護する。給紙トレイ１５は、用紙１４を挿入する。
【００１９】
排紙トレイ１６は、印刷後の用紙１４を受け止める。メモリカードコネクタ１７は、メモリカード１９を挿入し、そのデータを読み取るためのメモリカードコネクタである。原稿台１８は、原稿Ｄ１をセットする。メモリカード１９は、ＳＤカードやメモリスティック等である。
【００２０】
図２は、画像処理装置１０を示す機能ブロック図である。
【００２１】
画像処理装置１０は、制御部２１と、操作部２２と、印刷部２３と、スキャナ部２４と、メモリカードアクセス部２５とを有する。
【００２２】
制御部２１は、データ保持部２８を有し、装置全体を制御する。操作部２２は、操作パネル１２と液晶モニタ１１とを有し、液晶モニタ１１が装置の状態を表示し、操作パネル１２を介して、ユーザからの指示を受け取る。
【００２３】
印刷部２３は、給紙トレイ１５にセットした用紙１４を、印刷機構２６が印刷し、印刷後の用紙を排紙トレイ１６に排出する一連の印刷動作を行う。スキャナ部２４は、原稿台１８に置いた原稿Ｄ１から、スキャン機構２７が光学的に画像データを読み出す。
【００２４】
メモリカードアクセス部２５は、メモリカードコネクタ１７に挿入されているメモリカード１９に保存されている画像データを読み出すためのメモリカードアクセス部である。
【００２５】
画像処理装置１０の特徴的な部分は、マークシートを使った印刷設定機能におけるマークシートの修正方法である。
【００２６】
画像処理装置１０におけるマークシート印刷設定機能は、大きく分けると、以下のステップによって構成さえる。
【００２７】
（１）メモリカードアクセス部２５に挿入したメモリカード１９に保存されている画像データに対する印刷設定を、ユーザに指定させるための“写真指定マークシート”を、印刷部２３が印刷する。
【００２８】
（２）上記写真指定マークシートにユーザが記入した後に、スキャナ部２４が、記入内容を光学的に読み取る。
【００２９】
（３）マークシートから読み取った印刷設定の内容を、液晶モニタ１１に表示し、ユーザに確認させる。
【００３０】
（４）マークシートに記入間違いがなければ、読み取った印刷設定に従って、メモリカード１９内の画像データを、印刷部２３が印刷する。
【００３１】
（５）記入間違えがあれば、マークシートを修正させ、マークシートの再読取を行い、上記（３）に戻る。
【００３２】
上記マークシートを使った印刷設定機能において、画像処理装置１０の特徴的な部分は、マークシートを修正させて再読み込みする処理（処理（５））である。
【００３３】
つまり、スキャナ部２４は、複数の選択肢に対応する記入欄を具備するマークシートから、上記記入欄のそれぞれに記入されている記入情報を読み取る記入欄読み取り手段の例である。
【００３４】
データ保持部２８は、上記記入欄読み取り手段が、上記マークシートから読み出した最新の記入欄読み取り情報である第１の読み取り情報を保持する第１の情報保持手段の例である。また、データ保持部２８は、上記記入欄読み取り手段が、上記第１の読み取り情報よりも前に、上記マークシートから読み出した第２の読み取り情報を保持する第２の情報保持手段の例である。
【００３５】
制御部２１は、上記マークシートの各選択項目について選択された選択肢がどれであるかを判断する選択肢判断手段の例である。また、制御部２１は、上記第１の読み取り情報に基づいて、上記マークシートの各選択項目について選択肢を判断する第１の選択肢判断手段の例である。制御部２１は、上記第１の読み取り情報と、上記第２の読み取り情報とに基づいて、上記マークシートの各選択項目について選択肢を判断する第２の選択肢判断手段の例である。
【００３６】
上記第２の選択肢判断手段は、各選択項目に対して、上記第２の読み取り情報と上記第１の読み取り情報とを比較し、上記第２の読み取り情報では記入されていないが、上記第１の読み取り情報では記入されている記入欄である追加記入選択欄を検出する。そして、上記第２の選択肢判断手段は、検出した上記追加記入選択欄の情報に基づいて、各選択項目の選択肢を判断する手段である。
【００３７】
また、上記マークシートの選択項目は、全て２つ以上の選択肢から１つだけ選択させるものであり、上記第２の選択肢判断手段の選択肢判断は、次の判断を行う。つまり、（１）選択項目に対する上記第１の読み取り情報を解析し、記入欄が１つも記入されてない場合、その選択項目が選択されていないと判断する。（２）選択項目に対する上記第１の読み取り情報を解析し、記入欄が１つだけ記入されている場合、その記入欄に対応する選択肢が選択されていると判断する。（３）選択項目に対する上記第１の読み取り情報を解析する。そして、記入欄が２つ以上選択されている場合、上記第１の読み取り情報と上記第２の読み取り情報とを比較し、上記追加記入選択欄が１つだけ存在すれば、上記追加記入されている記入欄に対応する選択肢が選択されていると判断する。（４）上記追加記入選択欄が存在しない場合又は２つ以上存在する場合、選択が無効であると判断する。
【００３８】
また、上記第２の選択肢判断手段は、上記マークシートの選択項目のうちで、２つ以上の選択肢から１つだけ選択させる選択項目については、上記第１の読み取り情報と上記第２の読み取り情報との２つの情報に基づいて選択し判断する。それ以外の選択項目では、上記第１の読み取り情報にのみに基づいて選択肢を判断する。
【００３９】
上記マークシートの選択項目のうち、２つ以上の選択肢から１つだけ選択させる選択項目に対する選択肢判断は、次の判断を行う。つまり、（１）選択項目に対する上記第１の読み取り情報を解析し、記入欄が１つも記入されてない場合、その選択項目が選択されていないと判断する。（２）選択項目に対する上記第１の読み取り情報を解析し、記入欄が１つだけ記入されている場合、その記入欄に対応する選択肢が選択されていると判断する。（３）選択項目に対する上記第１の読み取り情報を解析し、記入欄が２つ以上選択されている場合、上記第１の読み取り情報と上記第２の読み取り情報とを比較する。そして、上記追加記入選択欄が１つだけ存在すれば、上記追加記入されている記入欄に対応する選択肢が選択されていると判断する。（４）上記追加記入選択欄が存在しない場合又は２つ以上存在する場合、選択が無効であると判断する。
【００４０】
さらに、上記マークシートの各選択項目に対してどの選択肢が選択されたかについての判断は、次の判断である。つまり、（１）上記各選択項目の記入欄に記入を行った上記マークシートを、上記記入欄読み取り手段によって始めて読み取った場合、上記第１の選択肢判断方法によってどの選択肢が選択されたかについて判断する。（２）記入情報を読み取った上記マークシートに対して、その記入欄の記入内容を修正し、その後に上記記入情報を再び読み取った場合、上記第２の判断方法によってどの選択肢が選択されたかについて判断する。
【００４１】
しかも、上記実施例では、ユーザに、上記データ処理装置に対する操作を行わせる操作手段を有する。また、上記操作手段によるユーザ操作に応じて、上記選択肢判断手段が、上記第１の選択肢判断手段、上記第２の選択肢判断手段のどちらであるかを選択し、上記マークシートに記載されている各選択項目にする選択肢を判断する。
【００４２】
そして、上記操作手段は、ユーザに対して必要な情報を視覚的に表示する表示手段を有し、上記記入欄読み取り手段が上記マークシートから読み出した上記第１の読み取り情報を、上記表示手段が表示する。
【００４３】
加えて、上記実施例は、上記マークシートを被印刷媒体に印刷可能な印刷手段を有し、上記選択肢判断手段が、上記マークシートの各選択項目についてどの選択肢が選択されたかについて行う判断は、次の判断である。つまり、（１）上記印刷手段がマークシートを印刷した後に、上記記入欄読み取り手段が始めてマークシートの記入情報を読み取った場合、上記第１の選択肢判断手段が、どの選択肢が選択されたかについて判断する。（２）上記印刷手段がマークシートを印刷した後における二度目以降の読み取りでは、上記第１の選択肢判断手段又は上記第２の選択肢判断手段のどちらかで、どの選択肢が選択されたかについて判断する。
【００４４】
また、スキャナ部２４は、画像データ保持手段から画像データを読み取る画像データ読み取り手段の例である。印刷部２３は、読み取った画像データに対応する画像を被印刷媒体に印刷する画像印刷手段の例である。そして、上記マークシートの選択項目は、上記画像印刷手段による画像印刷の印刷設定に関する選択項目を含む項目である。
【００４５】
しかも、上記マークシートの選択項目は、印刷する画像データの指定、印刷部数、被印刷媒体の大きさ、被印刷媒体の種類、印刷の品位、印刷時の画像処理の有無の指定のうちの少なくとも１つを設定する項目である。また、上記マークシートの選択項目は、印刷時の画像処理の方式、日時情報印刷の有無、被印刷媒体に対する印刷領域の指定、被印刷媒体に対する画像配置数の指定のうちの少なくとも１つを設定する項目である。
【００４６】
上記印刷手段が印刷する上記マークシートは、上記画像データ保持手段から読み出した画像データ群の内容に応じて、選択項目、選択項目に対する選択肢のうちの少なくとも一方を変化させるマークシートである。上記データ保持手段は、上記データ処理装置に対して着脱可能なデータ記録メディアである。
【００４７】
また、上記各手段を工程に置き換えれば、上記実施例は、データ処理装置の制御方法の発明である。
【００４８】
なお、スキャナ部２４は、複数の選択肢に対応する記入欄を有するマークシートから、上記記入欄のそれぞれに対応する記入情報を読み取る読取手段の例である。データ保持部２８は、上記読取手段で読み取って得た記入情報を蓄積する蓄積手段の例である。
【００４９】
制御部２１は、上記蓄積手段に蓄積された記入情報と、上記蓄積手段に記入情報を蓄積した後に上記読取手段で読み取った記入情報を比較する比較手段の例であり、上記比較手段の比較結果に応じて、記入情報に基づいて選択肢の判断を行う判断手段の例である。また、制御部２１は、上記比較手段によって比較した結果、複数の選択肢に対して記入がなされている場合、上記判断手段は上記蓄積手段に記入情報を蓄積した後に得られた記入情報との差分の記入情報を選択肢として判断する。
【００５０】
スキャナ部２４は、マークシートの再読取を入力する入力手段の例であり、上記入力手段から再読取が入力された場合、上記比較手段は比較するための処理を実行する。
【００５１】
また、上記読取手段は、上記マークシートを識別するためのコードを読み取り、上記比較手段は読み取られたコードに対応し上記蓄積手段に蓄積された記入情報と、上記蓄積手段に記入情報を蓄積した後に上記読取手段で読み取った記入情報を比較する。そして、上記判断手段が判断した結果を表示する表示手段を有する。
【００５２】
さらに、上記実施例は、複数の選択肢に対応する記入欄を有するマークシートから、上記記入欄のそれぞれに対応する記入情報を読み取る読取工程と、上記読取工程で読み取って得た記入情報を蓄積する蓄積工程とを有する。また、上記実施例は、上記蓄積工程で蓄積された記入情報と、上記蓄積工程で記入情報を蓄積した後に上記読取工程で読み取った記入情報を比較する比較工程と、上記比較工程の比較結果に応じて、記入情報に基づいて選択肢の判断を行う判断工程とを有する。
【００５３】
この場合、上記比較工程で比較した結果、複数の選択肢に対して記入がなされている場合、上記判断工程は上記蓄積工程で記入情報を蓄積した後に得られた記入情報との差分の記入情報を選択肢として判断する。そして、上記実施例は、マークシートの再読取を入力する入力工程を有し、上記入力工程から再読取が入力された場合、上記比較工程は比較するための処理を実行する。
【００５４】
また、上記読取工程で上記マークシートを識別するためのコードを読み取り、上記比較工程において読み取られたコードに対応し上記蓄積工程で蓄積された記入情報と、上記蓄積工程で記入情報を蓄積した後に上記読取工程で読み取った記入情報を比較する。さらに、上記判断工程で判断した結果を表示部で表示する表示工程を有する。
【００５５】
次に、マークシート修正処理を中心に、マークシートを使った印刷設定機能の詳細について説明する。
【００５６】
図３は、実施例１において、マークシート印刷設定機能を実行する際に表示される“マークシート写真指定メニュー”の表示画面３０を示す図である。
【００５７】
ユーザが操作パネル１２の押しボタンの１つであるマークシート写真指定キー（不図示）を押すと、マークシート写真指定メニューの表示画面３０が、液晶モニタ１１に表示される。
【００５８】
マークシート写真指定メニューの表示画面３０には、マークシート印刷機能アイコン３１と、マークシート読取機能アイコン３２と、カーソル３３と、ガイド表示３４、３５とを表示している。
【００５９】
マークシート印刷機能アイコン３１は、上記写真指定マークシートを印刷部２３から印刷させる際に選択するアイコンである。
【００６０】
マークシート読取機能アイコン３２は、上記写真指定マークシートをスキャナ部２４から読み出す際に選択するアイコンである。
【００６１】
カーソル３３は、操作パネル１２の左右キー（不図示）によって、上記２つのアイコン３１、３２を選択するためのカーソルである。図３（１）は、マークシート印刷機能アイコン３１を選択している状態を示す図である。図３（２）は、マークシート読取機能アイコン３２を選択している状態を示す図である。
【００６２】
操作パネル１２の決定キー（不図示）を押した際に、カーソル３３が当たっている機能が実行される。
【００６３】
ガイド表示３４、３５は、選択されているアイコンの内容をユーザに説明するガイド表示である。ガイド表示３４は、マークシート印刷機能アイコン３１に対するガイドを表示し、ガイド表示３５は、マークシート読取機能アイコン３２に対するガイドを表示している。
【００６４】
図４は、写真指定マークシートを印刷する動作を示すフローチャートである。
【００６５】
次に、画像処理装置１０の動作について説明する。
【００６６】
図５、図６は、実施例１において、マークシートの読み取り動作を示すフローチャートである。
【００６７】
まず、表示画面３０で、ユーザがマークシートの印刷を選択すると（Ｓ１）、メモリカードコネクタ１７に挿入されているメモリカード１９内の画像データが読み出される（Ｓ３）。そして、読み出した画像の内容に対応する写真指定マークシートを、印刷部２３が印刷する（Ｓ４）。写真指定マークシートの印刷が完了すると（Ｓ５）、表示画面３０の表示に戻る。
【００６８】
図７は、写真指定マークシート５０の印刷結果例を示す図である。
【００６９】
写真指定マークシート５０には、用紙サイズ設定５２と、用紙タイプ設定５３と、印刷品位設定５４と、日付印刷設定５５と、画像補正設定５６と、写真選択設定５７と、画像番号５８と、サムネール画像５９とが記録されている。
【００７０】
マーク５１は、ユーザが鉛筆やペンによって中を塗りつぶすことで、各項目に対する選択を行うマークである。
【００７１】
用紙サイズ設定５２は、印刷する用紙の大きさを指定する。用紙タイプ設定５３は、普通紙や写真紙等の種類を指定する。印刷品位設定５４は、印刷の品位を指定する。日付印刷設定５５は、印刷した画像への日付情報印刷を指定する。
【００７２】
画像補正設定５６は、画像に対して最適な画像補正を行って印刷を行うかどうかを示す。写真選択設定５７は、メモリカードに記録されている画像群に対して、それぞれ何枚印刷するかを示す。
【００７３】
たとえば、用紙サイズ設定５２では、“Ｌ”、“２Ｌ”、“ハガキ”、“Ａ４”の４つの選択肢のそれぞれに対応するマークが印刷され、その中の１つをユーザが黒く塗りつぶすことによって、対応する用紙のサイズが選択される。
【００７４】
写真を選択する場合、他の選択項目とは異なり、メモリカード内に保存されている各画像について、その画像番号５８と、サムネール画像５９とを並べて印刷し、その右側の番号に対応するマークを塗りつぶすことによって、印刷画像数（部数）を指定する。
【００７５】
たとえば、“０”をマークすると、印刷されず、“２”をマークすると、その画像について、２部印刷される。実施例１では、各画像について、０部から３部までの部数指定が可能である。
【００７６】
図８は、図７に示す写真指定マークシート５０について、ユーザがマークを記入した例である写真指定マークシート６０を示す図である。
【００７７】
マーク６１は、塗りつぶしたマークの例である。
【００７８】
実施例１のマーク６１は、全ての選択項目毎（写真指定は画像毎）に、１つのマークだけを選択するシートであり、写真指定マークシート６０は、各選択項目に対して１つずつマークが塗り潰されている。具体的には、用紙サイズを“Ｌ”、用紙タイプを“光沢紙”、印刷品位を“高品位”、日付印刷を“しない”、画像補正を“する”、画像番号０２を２部、画像番号０３を１部、画像番号０４を３部、画像番号０５を１部を、ユーザが選択した状態である。
【００７９】
次に、マークシートの読み取り動作について説明する。
【００８０】
マークシート写真指定の表示画面３０で、ユーザが、マークシート読取機能アイコン３２を選択すると（Ｓ１１）、マークシートの通常読み取りを開始する（Ｓ１２）。
【００８１】
図９は、マークシートの通常読み取り動作の詳細を示すフローチャートである。
【００８２】
まず、スキャナ部２４の原稿台１８に置いたマークシート原稿Ｄ１を、スキャン機構２７が読み取る（Ｓ３１）。そして、読み取ったマークの状態から、各選択項目について選択が正しく行われているか、どの選択が行われているかの解析を、１項目から順に実行する（Ｓ３２、Ｓ３３、Ｓ４０、Ｓ４１）。
【００８３】
各項目についての解析内容は以下のとおりである。まず、マークが１つも塗りつぶされていない場合（Ｓ３４）、その項目の選択を“不定”と判断する（Ｓ３５）。１つだけマークされている場合（Ｓ３６）、マークされている選択肢を、そのままその項目の選択値である（Ｓ３７）。複数のマークが塗りつぶされている場合（Ｓ３８）、その項目の選択を“不定”と判断する（Ｓ３９）。
【００８４】
このような基準によって、全ての項目の解析が終了すると（Ｓ４０）、上記読み取ったマークの読み取り結果を、制御部２１内のデータ保持部２８に保持する。
【００８５】
そして、上記マークシートの解析結果を、液晶モニタ１１上のマークシート確認画面７０に表示する（Ｓ１３）。
【００８６】
図１０は、マークシート確認画面７０を示す図である。
【００８７】
図１０に示す例は、写真指定マークシート６０の記入例を読み取った場合における画面である。
【００８８】
マークシート確認画面７０には、表示領域７１と、スクロールバー７２と、“指定写真印刷”アイコン７３とが表示されている。
【００８９】
表示領域７１は、各選択項目とその解析後の設定値を表示する表示領域である。
【００９０】
“指定写真印刷”アイコン７３は、写真指定で１部以上の印刷を指定された画像のサムネール表示である。
【００９１】
実施例１では、マークシート確認画面７０に、全ての設定項目を一度に表示できないので、操作パネル１２の上下キー（不図示）を操作することによって、表示領域７１の表示を、スクロールさせる機能を有する。
【００９２】
スクロールバー７２は、画面を現在の表示が全体のどのあたりを表示しているかを示す。たとえば、図１０（１）に示す状態で、操作パネル１２の下キー（不図示）を操作すると、設定表示領域の表示内容が、上にスクロールし、図１０（２）に示すようになる。
【００９３】
図１０では、設定項目に、“不定”がない場合を示しているが、設定項目に“不定”なものがあれば、設定項目の右側に“不定”を表示する。
【００９４】
アイコン７３、７４、７５は、操作パネルの左右キー（不図示）によっていずれかがハイライト表示され、その状態で決定キー（不図示）を押下することで、対応する３つの動作が行われる。
【００９５】
“指定写真印刷”アイコン７３は、現在表示されている画像指定と印刷の設定とに基づいて、画像印刷を開始する際に選択するアイコンである。“シート再読み取り”アイコン７４は、シートのマーク記入を修正し、それを再び画像処理装置１０に読み取らせる場合に選択するアイコンである。“戻る”アイコン７５は、表示画面３０に戻るためのアイコンである。
【００９６】
（１）まず、読み込まれたマークシートの設定を、マークシート確認画面７０で、ユーザが確認し、その内容に間違いがないと判断すると、“指定写真印刷”アイコン７３を選択し、“指定画像の印刷”を開始する（Ｓ１４）。これによって、画像処理装置１０は、全ての設定項目に“不定”な項目がないと認識し（Ｓ２１）、不定な項目があれば、画面にエラーを表示し（Ｓ２６）、マークシート確認画面７０の表示に戻る。不定の設定項目がなければ、対応する画像を、メモリカード１９から読出し（Ｓ２２）、各項目の設定に従って画像を印刷する（Ｓ２３）。そして、全ての印刷が完了すると（Ｓ２４）、表示画面３０に戻る（Ｓ２５）。
【００９７】
（２）一方、マークシート確認画面７０をユーザが見て、マークシートの設定内容の間違いに気付き、また、ユーザの気が変わり、設定を変更したいと考えると、“シート再読み取り”アイコン７４を選択し（Ｓ１５）、マークシートの修正を読み取る（Ｓ１６）。
【００９８】
（３）また、ユーザがメニュー画面に戻りたい場合、“戻る”アイコン７５を選択し、表示画面３０に戻る。
【００９９】
ここで、上記（２）におけるマークシート修正読み取りが、実施例１の最も特徴的な部分であり、以下に、その詳細について説明する。
【０１００】
マークシート確認画面７０が表示している設定項目のうちで、修正したい設定項目を見つけると、原稿台にセットしたマークシートを一旦取り出し、記入内容を修正する。
【０１０１】
図１１は、写真指定マークシート６０における指定内容を修正した写真指定マークシート８０を示す図である。
【０１０２】
写真指定マークシート８０は、写真指定マークシート６０において、３つの設定項目８１、８２、８３について、ユーザが修正した結果のシートである。
【０１０３】
具体的には、日付印刷を“しない”から“する”に変更し、画像番号０１の画像の印刷部数を０部から１部に変更し、画像番号０３の画像の印刷部数を１部から０部に変更している。
【０１０４】
図８に示すように、ユーザが選択を変更する際に、前回塗りつぶしたマークを、消しゴムや修正液等で、ユーザが消す必要はなく、新たに選択しようと思うマークを追加で塗りつぶすだけでよい。
【０１０５】
このようにして修正した写真指定マークシート８０を、原稿台１８に再びセットし、シート再読み取りアイコン７４を選択し、その読み取りを開始する。
【０１０６】
図１２は、マークシート修正読み取りにおいて、内部的な解析動作を示すフローチャートである。
【０１０７】
まず、ユーザがシート再読み取りアイコン７４を選択すると、原稿台１８に置いた修正済みのマークシート原稿をスキャンする（Ｓ５１）。
【０１０８】
次に、読み取ったマークの状態から、各選択項目について選択が正しく行われているか、どの選択が行われているかの解析を１項目から順に実行する（Ｓ５２、Ｓ５３）。
【０１０９】
ただし、マークシート修正読み取りでは、上記マークシート通常読み取りと解析方法が異なる。まず、マークが１つも塗り潰されていない場合（Ｓ５４）、通常読み取りと同様に、その項目の選択を“不定”と判断する（Ｓ５５）。１つだけマークされている場合（Ｓ５６）も、通常読み取りと同様に塗り潰されているマークをそのまま有効な選択とする。（Ｓ５７）。
【０１１０】
しかし、複数のマークが塗りつぶされている場合（Ｓ５８）、通常読み取りとは異なり、データ保持部２８に保持している読み取り結果（前回の読み取り結果）と、今回の読み取り結果とを比較する（Ｓ５９）。
【０１１１】
この結果、前回読み取った結果の他に、１つだけ新しいマークが追加されていれば（Ｓ６３）、追加されたマークを有効な選択とする（Ｓ６４）。
【０１１２】
新しいマークが１つも追加されていないか、２つ以上のマークが追加されていれば、その設定項目が“不定”であると判断する（Ｓ６５）。
【０１１３】
このような基準で、全ての項目の解析が終了すると（Ｓ６０）、通常読み取りと同様に読み出したマークの読み取り結果を、制御部２１内のデータ保持部２８に保持する。そして、上記マークシートの新たな解析結果を、マークシート確認画面７０に表示する（Ｓ１３）。
【０１１４】
ユーザは、マークシート確認画面７０で、修正結果を確認し、問題がなければ、“指定写真印刷”アイコン７３を選択することによって、修正後の設定で、メモリカード内の画像を印刷することができる。
【０１１５】
また、更に修正したい場合、シートを再び修正し、アイコン７４を選択することによって、更なる修正も可能である。
【０１１６】
本発明であるマークシートの修正方法は、選択肢１から選択肢２、選択肢２から選択肢３、選択肢３から選択肢４に、というように、それまで選択していない選択肢に変更することは可能であるが、一度選択した選択肢に再び戻すことはできない。
【０１１７】
このように修正する場合、従来装置のように、前に選択したマークであって、選択したくないマークを消す必要がある。
【０１１８】
しかし、特定の項目に対して何度も修正を行うことや、選択を一度取消した選択肢を再び選択するように修正することは、あまり行われるものではない。よって、実用を考えると、実施例１のマークシート修正方法によって、多くの場合で、従来のようにマークを消しゴムや修正液で消す必要がなく、マークシートを再印刷する必要がなく、効率よく簡単に修正を行うことができる。また、消しゴムや修正液、再印刷のための用紙やインクを必要としないので、資源を節約することができる。
【図面の簡単な説明】
【０１１９】
【図１】本発明の実施例１である画像処理装置１０の外形を示す図である。
【図２】画像処理装置１０を示す機能ブロック図である。
【図３】実施例１において、マークシート印刷設定機能を実行する際に表示される“マークシート写真指定メニュー”の表示画面３０を示す図である。
【図４】写真指定マークシートを印刷する動作を示すフローチャートである。
【図５】実施例１において、マークシートの読み取り動作を示すフローチャートである。
【図６】実施例１において、マークシートの読み取り動作を示すフローチャートである。
【図７】写真指定マークシート５０の印刷結果例を示す図である。
【図８】図７に示す写真指定マークシート５０について、ユーザがマークを記入した例である写真指定マークシート６０を示す図である。
【図９】マークシートの通常読み取り動作の詳細を示すフローチャートである。
【図１０】マークシート確認画面７０を示す図である。
【図１１】写真指定マークシート６０における指定内容を修正した写真指定マークシート８０を示す図である。
【図１２】マークシート修正読み取りにおいて、内部的な解析動作を示すフローチャートである。
【符号の説明】
【０１２０】
１０…画像処理装置、
２１…制御部、
２２…操作部、
２３…印刷部、
２４…スキャナ部、
２５…メモリカードアクセス部、
３０…表示画面、
５０、６０、８０…写真指定マークシート、
７０…マークシート確認画面。
【図１】
0005210016.tif 000002
【図２】
0005210016.tif 000003
【図３】
0005210016.tif 000004
【図４】
0005210016.tif 000005
【図５】
0005210016.tif 000006
【図６】
0005210016.tif 000007
【図７】
0005210016.tif 000008
【図８】
0005210016.tif 000009
【図９】
0005210016.tif 000010
【図１０】
0005210016.tif 000011
【図１１】
0005210016.tif 000012
【図１２】
0005210016.tif 000013